(57)【要約】【課題】トランク付エレベータのかご室においても、トランクの設備されていないエレベータと同様、かご内三方向に身障者等利用者用の手摺を備えることの出来るエレベータのかご室を提供する。【解決手段】奥壁１下部に設けられたトランク２と、このトランクの前部を開閉する扉２ａと、側壁３における上記扉の移動軌跡を避けた位置に設けられた固定手摺４と、上記奥壁の上記トランクより上部に対して回動可能に軸支された可動アーム７と、この可動アームに対して回動可能に枢支され、上記トランク不使用時には下降されて少なくとも上記トランクの扉の前部に延在し、上記トランク使用時には上昇されて上記トランクより上部の上記奥壁に沿って畳まれる可動手摺６とを備えるようにした。【選択図】図１
2008137775.tif 000002
【特許請求の範囲】
【請求項１】
奥壁下部に設けられたトランクと、このトランクの前部を開閉する扉と、側壁における上記扉の移動軌跡を避けた位置に設けられた固定手摺と、上記奥壁の上記トランクより上部に対して回動可能に軸支された可動アームと、この可動アームに対して回動可能に枢支され、上記トランク不使用時には下降されて少なくとも上記トランクの扉の前部に延在し、上記トランク使用時には上昇されて上記トランクより上部の上記奥壁に沿って畳まれる可動手摺とを備えたことを特徴とするトランク付エレベータのかご室。
【請求項２】
上記可動アームは、一端部が上記奥壁の上記トランクより上部に設けられた支持具に回動可能に軸支され、上記可動手摺は、該可動アームの他端部に設けられた軸受部材に回動可能に枢支されていることを特徴とする請求項１記載のトランク付エレベータのかご室。
【請求項３】
上記可動手摺は、下降時に上記固定手摺の後端部に連なって上記側壁の後部及び上記トランク前部に延在するようにコ字状に形成されていることを特徴とする請求項１または請求項２記載のトランク付エレベータのかご室。
【請求項４】
上記可動手摺と上記固定手摺とは、該可動手摺が下降されたときに相互に連結されて一体化可能に形成されていることを特徴とする請求項１ないし請求項３の何れかに記載のトランク付エレベータのかご室。
【請求項５】
上記奥壁の上記トランクより上部に、上記可動手摺が上昇されたときに該可動手摺を係止するための係止手段が設けられていることを特徴とする請求項１ないし請求項４の何れかに記載のトランク付エレベータのかご室。
【発明の詳細な説明】
【技術分野】
【０００１】
この発明は手摺が設置されたトランク付エレベータのかご室に関する。
【背景技術】
【０００２】
従来の手摺が設置されたトランク付エレベータのかご室として、かごドアと、このかごドアと対向する第１の側板の背面側に設けられ前記かごドア側へ回動する扉を有するトランクと、前記第１の側板に隣接する第２の側板に取付けられる手摺とを備えたエレベータの乗かごにおいて、前記手摺の前記扉の回動範囲で、この扉と接する位置の部材を前記かごドア方向へスライド可能としたものがある（例えば特許文献１参照。）。
【０００３】
【特許文献１】特開平１０−１６７６３２号公報（第１頁、図１）
【発明の開示】
【発明が解決しようとする課題】
【０００４】
上記のように構成された従来のトランク付エレベータのかご室においては、トランク扉の開閉に支障がないように構成されてはいるものの、奥壁部にはトランク扉があるため手摺を設けることは困難であり、身障者に対する配慮が不十分になっているという課題があった。
【０００５】
本発明の目的は上記のような従来技術の課題を克服し、トランク付エレベータのかご室においても、トランクの設備されていないエレベータと同様、かご内三方向に身障者等利用者用の手摺を備えることの出来るエレベータのかご室を提供することにある。
【課題を解決するための手段】
【０００６】
この発明に係るエレベータのかご室は、奥壁下部に設けられたトランクと、このトランクの前部を開閉する扉と、側壁における上記扉の移動軌跡を避けた位置に設けられた固定手摺と、上記奥壁の上記トランクより上部に対して回動可能に軸支された可動アームと、この可動アームに対して回動可能に枢支され、上記トランク不使用時には下降されて少なくとも上記トランクの扉の前部に延在し、上記トランク使用時には上昇されて上記トランクより上部の上記奥壁に沿って畳まれる可動手摺とを備えるように構成したものである。
【発明の効果】
【０００７】
この発明においては、かご室奥壁のトランクより上部に対して可動アームを介して係止され、トランク不使用時には下降されて少なくともトランク前部に延在し、トランク使用時には上昇されてトランクより上部の奥壁に沿って畳まれる可動手摺を備えるようにしたことにより、トランク不使用時には可動手摺を下降させるだけで、トランクの設備されていない一般のエレベータと同様、かご内三方向に手摺を設備出来る。
【発明を実施するための最良の形態】
【０００８】
実施の形態１．
図１〜図４はこの発明の実施の形態１によるエレベータのかご室の要部を説明するもので、図１（ａ）はトランク不使用時を示す平面図、図１（ｂ）はその正面図である。なお、図１（ｂ）は図１（ａ）のＩｂ−Ｉｂ線における矢視断面図に相当する。図２はトランク使用時に可動手摺を上昇させたときのかご室の要部を示す正面図、図３は図１の可動アームを回動させて可動手摺を畳むときの動作を説明する図であり、（ａ）は図１（ｂ）のＩＩＩａ−ＩＩＩａ線における矢視断面図、（ｂ）は図２のＩＩＩｂ−ＩＩＩｂ線における矢視断面図、（ｃ）は図３（ａ）の円Ａ部を拡大して示す詳細図である。図４は図３（ｂ）に示された可動アームの係止手段の詳細を示すもので、（ａ）は正面図、（ｂ）は側面断面図である。なお、各図を通じて同一符号は同一または相当部分を示すものとする。
【０００９】
図において、エレベータのかご室は正面（出入口側）から見て奥壁１の下部奥にトランク２を備え、トランク２の前部には観音式の扉２ａが奥壁１と略同一の面位置で設けられている。側壁３における扉２ａの開閉に伴う移動軌跡Ｂを避けた前方側の位置には、この例では丸棒状の固定手摺４が支持具５によって所定の高さに設置されている。固定手摺４の後方側（図１（ａ）の上方側）端部には図３（ｃ）に示すように、後述する可動手摺６とシームレス的に連結し得るように上半部が切除された形状の連結部４ａが設けられており、その後端部４ｂは扉２ａの移動軌跡Ｂよりも手前側の干渉しない位置に設置されている。固定手摺４と略同一断面形状の可動手摺６は、図１（ａ）に示すようにコ字形状に形成され、該コ字形の中央部６ａの左右２箇所をそれぞれ枢支している２つの可動アーム（支え腕）７を介してトランク２部の上の奥壁１に係止されている。
【００１０】
可動アーム７の一端部（図１（ｂ）の上部側）はトランク２部の上の奥壁１の所定部に取付けられた固定具８に回動自在に軸支され、他端部（図１（ｂ）の下部側）は軸受部材９を介して可動手摺６の中央部６ａを回動自在に枢支している。そして、可動アーム７中央部分の側部にはリング状の掛け金１０が設けられ、奥壁１にはその掛け金１０を係止する係止手段としてのカラビナ状のフック１１が設けられ、可動アーム７を上方に回動したときに可動アーム７及び可動手摺６をトランク２の上方の奥壁１部に畳んだ状態で保持できるように構成されている。また、コ字形状の可動手摺６の先端部は固定手摺４の連結部４ａ上面に重合し得るように下半部が切除された形状の連結部６ｂが設けられ、図３（ｃ）に示すようにツマミねじ１２で締結することで固定手摺４と可動手摺６がシームレス的に固定され動かない構成となっている。なお、奥壁１中央部には車椅子利用者などの便宜に供するための後方確認用の鏡１３が設置されている。
【００１１】
次に、上記のように構成された実施の形態１の動作について説明する。まず、トランク２の不使用時は可動アーム７は下方部に下ろされ、可動手摺６は図１、及び図３（ａ）の実線に示すようにトランク２の扉２ａの前部から側壁３に跨って水平方向に延在し、その端部は固定手摺４の連結部４ａとツマミねじ１２によって相互に締結され、固定手摺４と可動手摺６がシームレス的に合体されて一様な手摺としてかご室の３方向に構成される。なお、可動手摺６は連結部６ｂで支持具５を介して側壁３に固定される一方、可動アーム７と固定具８を介して奥壁１に固定されているので利用者が掴んだときに働く力を支障なく支持できる。
【００１２】
一方、トランク２を使用するときは、ツマミねじ１２を連結部６Ｂから外した後、可動手摺６を図３（ａ）の矢印Ｃに示すように軸受部材９のまわりに回動させて固定手摺４と分離し、次いで可動アーム７を固定具８の軸のまわりに図３（ｂ）の矢印Ｄに示すように時計方向に回動して軸受部材９が上に位置するまで回動した後、可動アーム７に取り付けられた掛け金１０を図４に示すように奥壁１に設けられたフック１１に係止させて可動アーム７を奥壁１に固定する。このとき、軸受部材９に枢支された可動手摺６は、図３（ｂ）の実線で示すように先端部の連結部６ｂが重力で下方を向いた位置で奥壁１に沿って畳まれた状態となる。図２はその畳まれた状態を示し、その後トランク２の扉２ａを左右に９０°開くことで、トランク２が使用可能となる。固定手摺４の後端部４ｂは扉２ａの移動軌跡を避けた位置にあるので、扉２ａの開閉と干渉することはない。なお、トランク２の使用後は上記と逆の手順で図１の状態に戻す。
【００１３】
上記説明した通り、実施の形態１によれば、かご室に設ける手摺を連結部４ａ、６ｂで接離可能な固定手摺４と可動手摺６によって構成し、固定手摺４はトランク２の扉２ａの移動軌跡から外れた位置に設置し、可動手摺６は奥壁１のトランク２より上部に可動アーム７を介して係止し、トランク２の不使用時には下降させてトランク２の前部と側壁３の後部に跨ってコ字状に延在して固定手摺４と一体化し、トランク２の使用時には上昇させてトランク２より上部の奥壁１に沿って畳まれるようにしたことにより、トランク付エレベータのかご室においても、トランクの設備されていないエレベータと同様、かご室内の三方向に手摺を設備することが出来る。また、可動手摺６は奥壁１に対して上下に回動可能に軸支された可動アーム７に対して枢支されているので、トランク２の使用時、不使用時の切替えが容易に出来る。
【００１４】
実施の形態２．
図５〜図８はこの発明の実施の形態２によるエレベータのかご室を示すもので、図５はトランク不使用時のかご室の要部を示す正面図、図６はトランク使用時に可動手摺を上昇させたときのかご室の要部を示す正面図、図７は可動アームを回動させて可動手摺を畳むときの動作を説明する図であり、（ａ）は図５のＶＩＩａ−ＶＩＩａ線における矢視断面図、（ｂ）は図６のＶＩＩｂ−ＶＩＩｂ線における矢視断面図に相当する。図８は可動手摺をフックに係止するときの動作を詳細に説明する図であり、（ａ）は係止直前の状態、（ｂ）は係止完了の状態を示す側面断面図である。なお、この実施の形態２は可動アームを上方に回動させて奥壁１に係止するときの係止手段を変更したものである。
【００１５】
図において、奥壁１には、トランク２使用時に可動アーム７を上方に回動させ略上死点に達したときに、可動アーム７先端部の軸受部材９に枢支された可動手摺６の中央部６ａに対向する位置に、弾性を有するＣ形の係止手段であるフック１１Ａが左右２箇所に開口部を前方にして取付けられている。その他の構成は上記実施の形態１と同様であるので説明を省略する。
上記のように構成された実施の形態２においては、固定手摺４と可動手摺６との連結、切り離し操作は実施の形態１と全く同様であり、トランク２使用時に可動アーム７を回動させて可動手摺６を畳むときは、図７（ａ）、図７（ｂ）の２点差線で示すように操作して実施の形態１と同様に可動手摺６を引き上げた後、図８（ａ）の矢印で示すようにフック１１Ａに押し込むだけで係止できる。
【００１６】
上記のように実施の形態２によれば、可動手摺６を固定手摺４から実施の形態１と同様に切り離し後、可動手摺６の両側部（分割部）を持ったままの状態で可動アーム７を上方向に回動させつつ可動手摺６の中央部６ａを上方に引き上げ、該中央部６ａをフック１１Ａの開口部に押し込むという、可動手摺６を引き上げる１つの操作の中にフック１１Ａへの係止操作を含めることが出来るので、作業を簡単かつ効率よくスムーズに行うことができるという更なる効果が得られる。
【００１７】
ところで上記実施の形態の説明では、可動手摺６がコ字形に形成されている場合について説明したが、必ずしもこれに限定されるものではない。例えば、かご室のスペース（横幅）が広く、側壁３の全長に渡って固定手摺４を設けることが出来る場合などにおいては、可動手摺６はトランク２の扉２ａの前部のみに設けられていればよく、その場合の形状は真直ぐな棒状であっても差し支えない。その他、種々の変形や変更が可能であることは言うまでもない。
【図面の簡単な説明】
【００１８】
【図１】この発明の実施の形態１によるエレベータのかご室の要部を示す図で、（ａ）はトランク不使用時を示す平面図、（ｂ）はその正面図である。なお、図１（ｂ）は図１（ａ）のＩｂ−Ｉｂ線における矢視断面図に相当する。
【図２】この発明の実施の形態１によるエレベータのかご室のトランク使用時に可動手摺を上昇させたときの要部を示す正面図である。
【図３】図１の可動アームを回動させて可動手摺を畳むときの動作を説明する図であり、（ａ）は図１（ｂ）のＩＩＩａ−ＩＩＩａ線における矢視断面図、（ｂ）は図２のＩＩＩｂ−ＩＩＩｂ線における矢視断面図、（ｃ）は図３（ａ）の円Ａ部を拡大して示す詳細図である。
【図４】図３（ｂ）に示された可動アーム吊下げ固定部の詳細を示すもので、（ａ）は正面図、（ｂ）は側面断面図である。
【図５】この発明の実施の形態２によるエレベータのかご室のトランク不使用時の要部を示す正面図である。
【図６】この発明の実施の形態２によるエレベータのかご室のトランク使用時に可動手摺を上昇させたときの要部を示す正面図である。
【図７】図５に示された可動アームを回動させて可動手摺を畳むときの動作を説明する図であり、（ａ）は図５のＶＩＩａ−ＶＩＩａ線における矢視断面図、（ｂ）は図６のＶＩＩｂ−ＶＩＩｂ線における矢視断面図に相当する。
【図８】図５に示された可動手摺をフックに係止するときの動作を詳細に説明する図であり、（ａ）は係止直前の状態、（ｂ）は係止完了の状態を示す側面断面図である。
【符号の説明】
【００１９】
１  奥壁、  ２  トランク、  ２ａ  扉、  ３  側壁、  ４  固定手摺、  ４ａ  連結部、  ４ｂ  後端部、  ５  支持具、  ６  可動手摺、  ６ａ  中央部、  ６ｂ  連結部、  ７  可動アーム、  ８  固定具、  ９  軸受部材、  １０  掛け金、  １１、１１Ａ  フック（係止手段）、  １２  ツマミねじ、  １３  鏡、  Ｂ  移動軌跡。
【図１】
2008137775.tif 000003
【図２】
2008137775.tif 000004
【図３】
2008137775.tif 000005
【図４】
2008137775.tif 000006
【図５】
2008137775.tif 000007
【図６】
2008137775.tif 000008
【図７】
2008137775.tif 000009
【図８】
2008137775.tif 000010